(57)【要約】【課題】従来、水道の配管に接続し、塩素の代わりにＣｕイオンで殺菌をするよう構成された装置が提供されているが、これを一般住宅で簡単に取付けできる装置として、所定寸法の銅管内に３〜８ｍｍのＣｕの粒子を入れ、これに水道圧力で水を通してもＣｕイオンの発生が弱いなどの問題がある。【解決手段】容器部内に高い密度で充填されたＣｕを素材とする微小な多面体に構成されたＣｕの粒子に対して、容器部の一方側から処理を所望する水を圧力をかけて押込むことで微量の銅を水の中に溶け込ませ、容器部の他方側から殺菌性のある水が発生するよう構成されている。【選択図】        図１
2004290782.tif 000002
【特許請求の範囲】
【請求項１】
容器部内に高い密度で充填されたＣｕを素材として微小な多面体に構成されたＣｕの粒子に対して、容器部の一方側から処理を所望する水をポンプで圧力をかけて処理水送水用パイプで押込むことで微量の銅を水の中に溶け込ませ、容器部の他方側から殺菌水送水用パイプで殺菌性のある水が発生するよう構成されていることを特徴とするＣｕイオンミネラル殺菌水発生装置。
【請求項２】
殺菌水発生装置本体（２）とろ過器（３）から構成され、
殺菌水発生装置本体（２）は、容器部（２Ａ）と容器部内に充填されたＣｕの粒子群（２Ｂ）から構成され、
容器部（２Ａ）は、当該容器部の下端中央に給水口（２Ａ２Ｐ）を有する下方から取付けられたキャップ状下方室（２Ａ２１）と、また、上端中央に排水口（２Ａ３Ｐ）を有する上方から取付けられたキャップ状上方室（２Ａ３１）と、キャップ状下方室（２Ａ２１）内に張設された下方フィルタ（２Ａ４）と、キャップ状上方室（２Ａ３１）内に張設された上方フィルタ（２Ａ５）から構成され、
Ｃｕの粒子群（２Ｂ）は、多数のＣｕの粒子（２Ｂ１）で構成され、Ｃｕの粒子（２Ｂ１）は、Ｃｕを素材として０．３〜２．０ｍｍ程の多面体で構成され、容器部（２Ａ）内に密度の高い状態で充填され、微量の銅が水の中に溶け込め殺菌に必要な水を作り出すよう構成され、
ろ過器（３）は、タンク（３Ａ）の中にろ材が充填され、
タンク（３Ａ）の上端には処理水送水用パイプ（Ｐ１）が連結され、タンク（３Ａ）の下端にはろ過処理済水送水用パイプ（Ｐ２）が連結され、ろ過処理済水送水用パイプはポンプ（Ｐ）を介して殺菌水発生装置本体（２）の容器部（２Ａ）におけるキャップ状下方室（２Ａ２１）に連結され、容器部（２Ａ）におけるキャップ状上方室（２Ａ３１）には殺菌水送水用パイプ（Ｐ３）が連結されていることを特徴とするＣｕイオンミネラル殺菌水発生装置。
【請求項３】
容器部の中にポンプで４〜５ｋｇの圧力をかけ水を押し出すことにより殺菌性のある水を発生するよう構成された請求項１あるいは請求項２記載のＣｕイオンミネラル殺菌水発生装置。
【請求項４】
温泉水、プール用水、貯水など処理を所望する汚染された水を収容した貯水槽（４）に、請求項１ないし請求項３のいずれかに記載のＣｕイオンミネラル殺菌水発生装置における処理水送水用パイプを連結し、Ｃｕイオンミネラル殺菌水発生装置における殺菌水送水用パイプの先端を貯水槽（４）に連結し、ポンプにより水を循環するよう構成されていることを特徴とするＣｕイオンミネラル殺菌水発生装置の使用方法。
【発明の詳細な説明】
【０００１】
【発明の属する技術分野】
本発明は、新規な構成を有するＣｕ（銅）イオンミネラル殺菌水発生装置とＣｕ（銅）イオンミネラル殺菌水発生装置の使用方法に関するものである。
具体的には、下記の各場合に適合するものである。
１．食品加工場、温泉、プール、井戸水等での病原性大腸菌（Ｏ−１５７）、黄色ブドウ球菌、レジオネラ菌、細菌等の殺菌装置。
また、飲料水としても、飲んでおいしくミネラル分が入った安全な水を同時にできる装置。
２．地球環境の中に生息し、人体、動物等に危害を与える細菌等の殺菌装置。
【０００２】
【従来の技術】
従来、この種のものにあっては、下記のようなものになっている。
水道の配管に接続し、塩素を除去し、塩素の代わりにＣｕイオンで殺菌をするよう構成された装置である。
【０００３】
【発明が解決しようとする課題】
従来の技術で述べたものにあっては、下記のような問題点を有していた。
水道の配管に接続し、塩素を除去し、塩素の変わりにＣｕイオンで殺菌をするよう構成された装置を、一般住宅で簡単に取付けできる装置として、銅管外径５０〜６０ｍｍ、長さ３００〜５００ｍｍの中に３〜８ｍｍのＣｕの粒子を入れ、これに水道圧力で水を通し何回も試験したが、結果Ｃｕイオンの発生が弱い。
【０００４】
本発明は、従来の技術の有するこのような問題点に鑑みなされたものであり、その目的とするところは、次のようなことのできるものを提供しようとするものである。
【０００５】
【課題を解決するための手段】
上記目的を達成するために、本発明は下記のようになるものである。
請求項１記載の発明は、容器部内に高い密度で充填されたＣｕを素材として微小な多面体に構成されたＣｕの粒子に対して、容器部の一方側から処理を所望する水をポンプで圧力をかけて処理水送水用パイプで押込むことで微量の銅を水の中に溶け込ませ、容器部の他方側から殺菌水送水用パイプで殺菌性のある水が発生するよう構成されていることを特徴とするものである。
【０００６】
請求項２記載の発明は、殺菌水発生装置本体２とろ過器３から構成され、
Ａ．殺菌水発生装置本体２は、容器部２Ａと容器部内に充填されたＣｕの粒子群２Ｂから構成され、
ａ．容器部２Ａは、当該容器部の下端中央に給水口２Ａ２Ｐを有する下方から取付けられたキャップ状下方室２Ａ２１と、また、上端中央に排水口２Ａ３Ｐを有する上方から取付けられたキャップ状上方室２Ａ３１と、キャップ状下方室２Ａ２１内に張設された下方フィルタ２Ａ４と、キャップ状上方室２Ａ３１内に張設された上方フィルタ２Ａ５から構成され、
ｂ．Ｃｕの粒子群２Ｂは、多数のＣｕの粒子２Ｂ１で構成され、Ｃｕの粒子２Ｂ１は、Ｃｕを素材として０．３〜２．０ｍｍ程の多面体で構成され、容器部２Ａ内に密度の高い状態で充填され、微量の銅が水の中に溶け込め殺菌に必要な水を作り出すよう構成され、
Ｂ．ろ過器３は、タンク３Ａの中にろ材が充填され、
Ｃ．タンク３Ａの上端には処理水送水用パイプＰ１が連結され、タンク３Ａの下端にはろ過処理済水送水用パイプＰ２が連結され、ろ過処理済水送水用パイプはポンプＰを介して殺菌水発生装置本体２の容器部２Ａにおけるキャップ状下方室２Ａ２１に連結され、容器部２Ａにおけるキャップ状上方室２Ａ３１には殺菌水送水用パイプＰ３が連結されていることを特徴とするものである。
【０００７】
請求項３記載の発明は、請求項１あるいは請求項２記載の発明において、容器部の中にポンプで４〜５ｋｇの圧力をかけ水を押し出すことにより殺菌性のある水を発生するよう構成されたことを特徴とするものである。
【０００８】
請求項４記載の発明は、温泉水、プール用水、貯水など処理を所望する汚染された水を収容した貯水槽４に、請求項１ないし請求項３のいずれかに記載の発明における処理水送水用パイプを連結し、Ｃｕイオンミネラル殺菌水発生装置における殺菌水送水用パイプの先端を貯水槽４に連結し、ポンプにより水を循環するよう構成されていることを特徴とするものである。
【０００９】
【発明の実施の形態】
発明の実施の形態を実施例に基づき図面を参照して説明する。
１は第１発明のＣｕイオンミネラル殺菌水発生装置である。
第２発明はＣｕイオンミネラル殺菌水発生装置の使用方法である。
【００１０】
第１発明のＣｕ（銅）イオンミネラル殺菌水発生装置１について説明する。
殺菌水発生装置本体２とろ過器３から構成されている。
Ａ．殺菌水発生装置本体２は、容器部２Ａと容器部内に充填されたＣｕの粒子群２Ｂから構成されている。
ａ．容器部２Ａは、円筒体２Ａ１と、この円筒体の下端に連設された下方かがみ部２Ａ２と、円筒体の上端に連設された上方かがみ部２Ａ３と、下方かがみ部２Ａ２の下端中央に給水口２Ａ２Ｐを有する下方から取付けられたキャップ状下方室２Ａ２１と、上方かがみ部２Ａ３の上端中央に排水口２Ａ３Ｐを有する上方から取付けられたキャップ状上方室２Ａ３１と、キャップ状下方室２Ａ２１内に張設された下方フィルタ２Ａ４と、キャップ状上方室２Ａ３１内に張設された上方フィルタ２Ａ５から構成されている。
図中、２Ａ６は下方かがみ部２Ａ２の下方に張設された平面円形の拡散板である。そして、この拡散板には小孔が群設されている。
また、キャップ状下方室２Ａ２１とキャップ状上方室２Ａ３１は、フランジ部分で上下に分離でき、フィルタやＣｕの粒子群などの交換をすることができる。
容器部２Ａは、ステンレス（ＳＵＳ３０４〜ＳＵＳ３１６）で構成されている。
下方フィルタ２Ａ４と上方フィルタ２Ａ５は、０．１ｍｍ程の銅線で綱を作り、段数を重ね２０〜３０ｔｏｎの圧力で、Ｃｕの粒子が装置より外に流れ出ないきめ細かい状態に構成されている。
【００１１】
ｂ．Ｃｕの粒子群２Ｂは、多数のＣｕの粒子２Ｂ１で構成され、Ｃｕの粒子２Ｂ１は、Ｃｕ（銅）を素材として０．３〜２．０ｍｍ程の多面体で構成され、容器部２Ａ内に密度の高い状態で充填され、微量の銅が水の中に溶け込め殺菌に必要な水を作り出すよう構成されている。
ｃ．密度の高い状態とは、下記のような状態である。
すなわち、１ｃｍ３  中にＣｕの粒子をただ入れるだけであると、１００個位の粒子しか入らないが、振動をかけ圧力をかけると、１ｃｍ３  中に１３０〜１４０個位のＣｕの粒子が入る。
このようにして密度を高くすると、水がＣｕの粒子に満遍なく触れることにより濃度の高いＣｕイオン水を得ることができる。
【００１２】
Ｂ．ろ過器３は、タンク３Ａの中にろ材（図示略）が充填されている。
Ｃ．タンク３Ａの上端には処理水送水用パイプＰ１が連結され、タンク３Ａの下端にはろ過処理済水送水用パイプＰ２が連結され、ろ過処理済水送水用パイプはポンプＰを介して殺菌水発生装置本体２の容器部２Ａにおけるキャップ状下方室２Ａ２１に連結され、容器部２Ａにおけるキャップ状上方室２Ａ３１には殺菌水送水用パイプＰ３が連結されている。
Ｄ．容器部２Ａの中を下から上にポンプＰで４〜５ｋｇの圧力をかけ水を押し出すことにより殺菌性のある水ができる。
【００１３】
第２発明のＣｕイオンミネラル殺菌水発生装置１の使用方法について説明する。
温泉水、プール用水、貯水など処理を所望する汚染された水を収容した貯水槽４に、上記Ｃｕイオンミネラル殺菌水発生装置１における処理水送水用パイプＰ１を連結し、Ｃｕイオンミネラル殺菌水発生装置１における殺菌水送水用パイプＰ３の先端を貯水槽４に連結し、ポンプＰにより水を循環するよう構成されている。
【００１４】
【実施例】
本発明で得たＣｕイオン水の試験成績は下記の通りである。
試供体〜Ｃｕイオン水
検体（数、番号）〜１検体
試験成績〜試供体〜イオン水を▲１▼３０％、▲２▼６０％、▲３▼９０％添加した水に黄色ブドウ球菌及び病原性大腸菌（Ｏ−１５７）の菌液を添加して３５±１℃にて、添加直後、３時間後、７時間後、２０時間後の菌数を測定した。
直後
黄色ブドウ球菌／ｍｌ
▲１▼  ２．８×１０５
▲２▼  ２．７×１０５
▲３▼  １．９×１０５
病原性大腸菌（Ｏ−１５７）／ｍｌ
▲１▼  １．８×１０４
▲２▼  １．６×１０４
▲３▼  １．９×１０４
３時間後
黄色ブドウ球菌／ｍｌ
▲１▼  １．３×１０３
▲２▼  ５．６×１０２
▲３▼  ４．４×１０２
病原性大腸菌（Ｏ−１５７）／ｍｌ
▲１▼  １．５×１０３
▲２▼  ９．０×１０２
▲３▼  ８．６×１０２
７時間後
黄色ブドウ球菌／ｍｌ
▲１▼  ６．６×１０２
▲２▼  ３．９×１０２
▲３▼  ３．６×１０２
病原性大腸菌（Ｏ−１５７）／ｍｌ
▲１▼  ５．５×１０２
▲２▼  ４．２×１０２
▲３▼  ４．０×１０２
２０時間後
黄色ブドウ球菌／ｍｌ
▲１▼  ４．８×１０２
▲２▼  ３．３×１０２
▲３▼  ３．２×１０２
病原性大腸菌（Ｏ−１５７）／ｍｌ
▲１▼  ３．７×１０２
▲２▼  ＜３００（１８）
▲３▼  ＜３００（１５）
試験方法〜標準寒天平板培養法による。
【００１５】
【発明の効果】
本発明は、上述の通り構成されているので次に記載する効果を奏する。
１．少量から大量の殺菌水を作り、幅の広い分野での細菌等の殺菌を行うことができる。
２．人間、動物などが飲んでも安全でまたおいしい水を作ることができる。
３．色々な殺菌方法がある中でコスト面、メンテナンス面でもメリットのある装置を作ることができる。
【図面の簡単な説明】
【図１】第１発明の略図的構成図である。
【図２】殺菌水発生装置本体の縦断面図である。
【図３】第２発明の略図的構成図である。
【符号の説明】
１  Ｃｕイオンミネラル殺菌水発生装置
２  殺菌水発生装置本体
３  ろ過器
【図１】
2004290782.tif 000003
【図２】
2004290782.tif 000004
【図３】
2004290782.tif 000005